(57)【要約】【課題】  居室親機で集合玄関に設置されたオートドアの電気錠の解錠操作をした場合は、解錠操作した後一定のタイミングで終話動作する集合住宅インターホンシステムを提供する。【解決手段】  居室親機２は、オートドアを解錠操作する解錠ボタン３０、所定時間をカウントするためのタイマ２３、解錠状態を報知する解錠ＬＥＤ３１、居室親機２を制御する親機ＣＰＵ２８を備え、集合玄関機と通話状態にある時に解錠ボタン２４が操作されると、オートドアの解錠要求信号が制御機に送信され、制御機はオートドアに解錠信号を出力する。そして、制御機は解錠要求信号を基に居室親機２に対して解錠ＬＥＤ３１を点灯させる点灯信号を送出し、親機ＣＰＵ２８は、この点灯信号を受けて解錠ＬＥＤ３１を点灯させると共にタイマ２３をスタートさせ、カウントアップしたら終話動作させた。【選択図】  図３
2008187648.tif 000002
【特許請求の範囲】
【請求項１】
来訪者が居住者を呼び出すために集合玄関に設置される集合玄関機と、前記集合玄関機からの呼び出しに応答するために各居室に設置される居室親機と、前記集合玄関機と前記居室親機の間の通話路を制御する制御機と、来訪者及び居住者が出入りするオートドア設備とを有し、前記居室親機には前記オートドア設備を解錠するための解錠ボタンを備えた集合住宅インターホンシステムにおいて、
前記居室親機は、前記集合玄関機と通話状態にある時に前記解錠ボタンが操作されると、前記オートドア設備の解錠要求信号を前記制御機に送信して解錠を行う親機制御部を有すると共に、前記制御機は前記解錠要求信号を基に前記居室親機に対して終話動作を促す終話許可信号を送出する終話許可手段を有し、
前記居室親機は更に、前記終話許可信号を受けて所定時間をカウントするタイマ、前記タイマがカウントアップしたら終話制御する終話制御手段を備えたことを特徴とする集合住宅インターホンシステム。
【請求項２】
前記居室親機はオートドア設備の解錠状態を報知する解錠報知手段を有すると共に、前記制御機は、前記解錠要求信号を受けて前記解錠報知手段の点滅を制御する発光制御手段を有し、
前記終話許可信号は、前記発光制御手段の出力する点灯信号であることを特徴とする請求項１記載の集合住宅インターホンシステム。
【請求項３】
前記居室親機はオートドア設備の解錠状態を報知する解錠報知手段を有すると共に、前記制御機は、前記解錠要求信号を受けて前記解錠報知手段の点滅を制御する発光制御手段を有し、
前記終話許可信号は、発光信号出力後に前記発光制御手段が出力する消灯信号であることを特徴とする請求項１記載の集合住宅インターホンシステム。
【請求項４】
前記オートドア設備は、解錠要求信号を受けて解錠した後、解錠完了信号を制御機に送信するオートドア制御部を備え、前記制御機の終話許可信号は、前記解錠完了信号であることを特徴とする請求項１記載の集合住宅インターホンシステム。
【請求項５】
来訪者が居住者を呼び出すために集合玄関に設置される集合玄関機と、前記集合玄関機からの呼び出しに応答するために各居室に設置される居室親機と、前記集合玄関機と居室親機の間の通話路を制御する制御機と、来訪者及び居住者が出入りするオートドア設備とを有し、前記居室親機には前記オートドア設備を解錠するための解錠ボタンを備えた集合住宅インターホンシステムにおいて、
前記居室親機が、前記集合玄関機と通話状態にある時に前記解錠ボタンが操作されると、前記オートドア設備の解錠要求信号を前記制御機に送信して解錠を行う親機制御部を備える一方、前記制御機が前記解錠要求信号を受けて所定時間をカウントするタイマと、所定時間が経過したら前記居室親機を終話動作させるための終話制御手段とを備え、
前記居室親機は前記終話制御手段の制御により終話動作することを特徴とする集合住宅インターホンシステム。
【請求項６】
前記居室親機はオートドア設備の解錠状態を報知する解錠報知手段を有すると共に、前記制御機は、前記解錠要求信号を受けて前記解錠報知手段の点滅を制御する発光制御手段を有し、
前記タイマは、前記発光制御手段が出力する点灯信号によりカウントをスタートすることを特徴とする請求項５記載の集合住宅インターホンシステム。
【請求項７】
前記居室親機はオートドア設備の解錠状態を報知する解錠報知手段を有すると共に、前記制御機は、前記解錠要求信号を受けて前記解錠報知手段の点滅を制御する発光制御手段を有し、
前記タイマは、前記発光制御手段が発光信号を出力した後に出力する消灯信号によりカウントをスタートすることを特徴とする請求項５記載の集合住宅インターホンシステム。
【請求項８】
前記オートドア設備は、解錠要求信号を受けて解錠した後、解錠完了信号を制御機に送信するオートドア制御部を備え、
前記タイマは、前記解錠完了信号によりカウントをスタートすることを特徴とする請求項５記載の集合住宅インターホンシステム。
【請求項９】
来訪者が居住者を呼び出すために集合玄関に設置される集合玄関機と、前記集合玄関機からの呼び出しに応答するたに各居室に設置される居室親機と、前記集合玄関機と居室親機の間の通話路を制御する制御機と、来訪者及び居住者が出入りするオートドア設備とを有し、前記居室親機には前記オートドア設備を解錠するための解錠ボタンを備えると共に、前記オートドア設備は解錠した後、自動で閉扉／施錠動作する集合住宅インターホンシステムにおいて、
前記居室親機は、前記集合玄関機と通話状態にある時に前記解錠ボタンが操作されると、前記オートドア設備の解錠要求信号を前記オートドア設備に送信する親機制御部を有する一方、前記オートドア設備は施錠動作したら施錠完了信号を前記居室親機に送信するオートドア制御部を有し、前記親機制御部は施錠完了信号を受けて終話することを特徴とする集合住宅インターホンシステム。
【発明の詳細な説明】
【技術分野】
【０００１】
本発明は、集合住宅インターホンシステムに関し、特に居室親機の操作で集合玄関に設置されたオートドアを解錠操作できる集合住宅インターホンシステムに関する。
【背景技術】
【０００２】
集合玄関機に設置されたオートドアを居室親機の操作で解錠できる集合住宅インターホンシステムが普及している。このようなシステムでは、来訪者が集合玄関に設置されている集合玄関機を操作して訪問先の居住者を呼び出し、呼び出しに応じた居住者が応答して通話状態にすると、居室親機に設けられている解錠ボタンの操作によりオートドアの電気錠を解錠することができる。
そして、このような集合住宅インターホンシステムは、解錠動作を発光表示で居住者に通知するための解錠ＬＥＤが設けられ、制御機から送信される信号により点灯／消灯動作し、居室親機からの解錠要求信号の送信や解錠完了を居住者が解錠ＬＥＤの発光状態により認識できるよう構成されている（例えば、特許文献１参照）。
【０００３】
また、居室親機がハンズフリータイプのものは、呼び出しを受けて通話ボタンが操作されることで、来訪者と居住者の間で通話が可能となるが、この通話路は所定時間経過すると自動で終話動作したり、居室親機に設けられた終話ボタンを操作することで終話が行われ集合玄関機と居室親機の間の通話路が遮断されるよう構成されている（例えば、特許文献２参照）。
【０００４】
【特許文献１】特開２００３−１４３３０６号公報
【特許文献２】特開２００５−２２３７３７号公報
【発明の開示】
【発明が解決しようとする課題】
【０００５】
しかしながら、オートドアを居室親機から解錠操作できる上記従来のシステムは、居住者がハンズフリー機能を備えている場合、集合玄関機からの呼び出しに応答して解錠操作することで、居住者は居室親機の操作が終了したと思いこみ終話操作を忘れてしまうことがあった。その場合には自動終話するまでの間、例えば数分間は居室内の会話が集合玄関機から漏れてしまっていた。
【０００６】
そこで、本発明はこのような問題点に鑑み、居室親機で集合玄関に設置されたオートドアの電気錠の解錠操作をした場合は、解錠操作を受けて自動で終話動作する集合住宅インターホンシステムを提供することを目的とする。
【課題を解決するための手段】
【０００７】
上記課題を解決する為に、請求項１に記載の発明は、来訪者が居住者を呼び出すために集合玄関に設置される集合玄関機と、集合玄関機からの呼び出しに応答するために各居室に設置される居室親機と、集合玄関機と居室親機の間の通話路を制御する制御機と、来訪者及び居住者が出入りするオートドア設備とを有し、居室親機にはオートドア設備を解錠するための解錠ボタンを備えた集合住宅インターホンシステムにおいて、居室親機は、集合玄関機と通話状態にある時に解錠ボタンが操作されると、オートドア設備の解錠要求信号を制御機に送信して解錠を行う親機制御部を有すると共に、制御機は解錠要求信号を基に居室親機に対して終話動作を促す終話許可信号を送出する終話許可手段を有し、居室親機は更に、終話許可信号を受けて所定時間をカウントするタイマ、タイマがカウントアップしたら終話制御する終話制御手段を備えたことを特徴とする。
この構成によれば、解錠ボタンが操作されたら、そのボタン操作後の一定のタイミングで終話動作するので、解錠操作を行った場合は別途終話操作しなくても通話路が遮断され、室内の会話が集合玄関機から流れ続けるのを防止できる。
また、解錠ボタン操作後一定時間は通話回路を保持するので、解錠操作により来訪者との通話が遮断されることがない。
【０００８】
請求項２の発明は、請求項１に記載の発明において、居室親機はオートドア設備の解錠状態を報知する解錠報知手段を有すると共に、制御機は、解錠要求信号を受けて解錠報知手段の点滅を制御する発光制御手段を有し、終話許可信号は、発光制御手段の出力する点灯信号であることを特徴とする。
この構成によれば、解錠報知手段の制御信号を利用して終話制御するので、新たな信号を発生させる必要がない。また、オートドア設備の解錠要求信号を基に返信される点灯信号を受けて解錠報知手段は報知動作するので、居住者は解錠要求信号の送信を認識でき安心できる。
【０００９】
請求項３の発明は、請求項１に記載の発明において、居室親機はオートドア設備の解錠状態を報知する解錠報知手段を有すると共に、制御機は、解錠要求信号を受けて解錠報知手段の点滅を制御する発光制御手段を有し、終話許可信号は、発光信号出力後に発光制御手段が出力する消灯信号であることを特徴とする。
この構成によれば、解錠報知手段の制御信号を利用して終話制御するので、新たな信号を発生させる必要がない。
【００１０】
請求項４の発明は、請求項１に記載の発明において、オートドア設備は、解錠要求信号を受けて解錠した後、解錠完了信号を制御機に送信するオートドア制御部を備え、制御機の終話許可信号は、解錠完了信号であることを特徴とする。
この構成によれば、オートドアの解錠動作を受けて終話がなされるので、来訪者がオートドアを通過できる状態になって終話動作することになる。よって、来訪者に対しても利便性が良い。
【００１１】
請求項５の発明は、来訪者が居住者を呼び出すために集合玄関に設置される集合玄関機と、集合玄関機からの呼び出しに応答するために各居室に設置される居室親機と、集合玄関機と居室親機の間の通話路を制御する制御機と、来訪者及び居住者が出入りするオートドア設備とを有し、居室親機にはオートドア設備を解錠するための解錠ボタンを備えた集合住宅インターホンシステムにおいて、居室親機は、集合玄関機と通話状態にある時に解錠ボタンが操作されると、オートドア設備の解錠要求信号を制御機に送信して解錠を行う親機制御部を有すると共に、制御機は解錠要求信号を受けて所定時間をカウントするタイマ、所定時間が経過したら居室親機を終話動作させるための終話制御手段を有し、居室親機は終話制御手段の制御により終話することを特徴とする。
この構成によれば、解錠ボタンが操作されたら、そのボタン操作後の一定のタイミングで終話動作するので、解錠操作を行った場合は別途終話操作しなくても通話路が遮断され、室内の会話が集合玄関機から流れ続けるのを防止できる。また、居室親機の数に関係なくタイマは１つで済む。
更に、解錠ボタン操作後一定時間は通話回路を保持するので、解錠操作により来訪者との通話が遮断されることがない。
【００１２】
請求項６の発明は、請求項５に記載の発明において、居室親機はオートドア設備の解錠状態を報知する解錠報知手段を有すると共に、制御機は、解錠要求信号を受けて解錠報知手段の点滅を制御する発光制御手段を有し、タイマは、発光制御手段が出力する点灯信号によりカウントをスタートすることを特徴とする。
この構成によれば、解錠報知手段の発光により解錠要求信号が送信されたことを認識でき、その後終話動作する。よって、居住者は解錠要求信号が送信されたことを認識でき、安心できる。
【００１３】
請求項７の発明は、請求項５に記載の発明において、居室親機はオートドア設備の解錠状態を報知する解錠報知手段を有すると共に、制御機は、解錠要求信号を受けて解錠報知手段の点滅を制御する発光制御手段を有し、タイマは、発光制御手段が発光信号を出力した後に出力する消灯信号によりカウントをスタートすることを特徴とする。
この構成によれば、解錠報知手段の発光により解錠要求信号が送信されたことを認識でき、その後終話動作する。よって、居住者は解錠操作が成されたことを認識でき、安心できる。
【００１４】
請求項８の発明は、請求項５に記載の発明において、オートドア設備は、解錠要求信号を受けて解錠した後、解錠完了信号を制御機に送信するオートドア制御部を備え、タイマは、解錠完了信号によりカウントをスタートすることを特徴とする。
この構成によれば、オートドアの解錠動作を受けて終話がなされるので、来訪者がオートドアを通過できる状態になって終話動作することになる。よって、来訪者に対しても利便性が良い。
【００１５】
請求項９の発明は、来訪者が居住者を呼び出すために集合玄関に設置される集合玄関機と、集合玄関機からの呼び出しに応答するたに各居室に設置される居室親機と、集合玄関機と居室親機の間の通話路を制御する制御機と、来訪者及び居住者が出入りするオートドア設備とを有し、居室親機にはオートドア設備を解錠するための解錠ボタンを備えると共に、オートドア設備は解錠した後、自動で閉扉／施錠動作する集合住宅インターホンシステムにおいて、居室親機は、集合玄関機と通話状態にある時に解錠ボタンが操作されると、オートドア設備の解錠要求信号をオートドア設備に送信する親機制御部を有する一方、オートドア設備は施錠動作したら施錠完了信号を居室親機に送信するオートドア制御部を有し、親機制御部は施錠完了信号を受けて終話することを特徴とする。
この構成によれば、居室親機はオートドアの施錠に合わせて終話動作するので、居住者が終話操作し忘れても室内の音声が流れ続けるようなことがない。また、解錠ボタン操作したら直ぐに終話することがなく、来訪者がオートドアを通過してから終話動作することになるので、来訪者にとっても安心である。更に、終話操作の為のタイマが必要ない。
【発明の効果】
【００１６】
本発明によれば、解錠ボタンが操作されたら、そのボタン操作後の一定のタイミングで終話動作するので、解錠操作を行った場合は別途終話操作しなくても通話路が遮断され、室内の会話が集合玄関機から流れ続けるのを防止できる。
また、解錠ボタン操作後直ちに終話動作することがないので、解錠操作により来訪者との通話が遮断されることがない。
【発明を実施するための最良の形態】
【００１７】
以下、本発明を具体化した実施の形態を、図面に基づいて詳細に説明する。図１は、本発明に係る集合住宅インターホンシステムの一例を示す構成図であり、１は来訪者が居住者を呼び出して通話するために集合玄関に設置された集合玄関機、２は集合玄関機１からの呼び出しを受けて居住者が応答するために個々の居室（住戸）に設置された居室親機、３は管理室に設置され、居住者等と通話するための管理室親機、４は集合玄関機１、居室親機２、管理室親機３間の通話を制御する制御機、５は集合玄関から来訪者または居住者が集合住宅内に入る際、或いは出る際に利用するオートドア、６はオートドア制御部としてのドア制御盤である。尚、このオートドア５とドア制御盤６とでオートドア設備７を構成している。
そして、集合玄関機１、居室親機２、管理室親機３は夫々信号線で制御機４に接続され、オートドア５はドア制御盤６を介して集合玄関機１に接続されている。
【００１８】
〈第１の実施形態〉
図２〜図４はこのシステムに使用される集合玄関機１と居室親機２と制御機４の回路ブロック図を夫々示し、第１の実施形態を示している。図２の集合玄関機１において、９は来訪者を撮像するカメラ、１０は撮像映像を変調処理等行う映像処理部、１１は居室の選択操作等行うテンキー、１２は呼出ボタン、１３はマイク１４及びスピーカ１５が接続された通話回路、１６は各回路を制御する集合玄関機ＣＰＵ、１７は制御機４及びドア制御盤６と通信するための集合玄関機インターフェース（集合玄関機ＩＦ）である。
【００１９】
図３の居室親機２において、１９は伝送されてきた映像信号を復調処理等行う映像処理部、２０は来訪者映像を出画するためのモニタ、２１は録画メモリ、２２はタッチパネルから成る操作手段、２３は終話タイミングをカウントするためのタイマ、２４は通話ボタン、２５はマイク２６及びスピーカ２７が接続された通話回路、２８は各回路を制御する親機ＣＰＵ、２９は制御機４と通信するための居室親機インターフェース（親機ＩＦ）、３０はオートドアを解錠操作する解錠ボタン、３１は解錠状況を確認する解錠報知手段としての解錠ＬＥＤである。
【００２０】
図４の制御機４において、３４は通話路および映像路を形成する通話/映像路形成部、３５は居室親機２、管理室親機３と通信するための第１インターフェース（第１ＩＦ）、３６は集合玄関機１と通信するための第２インターフェース（第２ＩＦ）、３７は制御機４を制御する制御機ＣＰＵである。
【００２１】
このように構成された集合住宅インターホンシステムの動作を以下説明する。まず、来訪者が居住者を呼び出すため集合玄関機１のテンキー１１を操作して部屋番号を入力し、続けて呼出ボタン１２を押下すると呼出信号が居室親機２へ送信され、呼出音が居室親機２のスピーカ２７から出力される。また、集合玄関機１のカメラ９で撮像された来訪者の映像が同様の経路をたどり居室親機２のモニタ２０にて出画される。
これを確認した居住者が通話ボタン２４の操作などにより、来訪者との通話が可能となる（ここまでは従来と同様なので説明を詳述しない）。尚、呼出状態及び通話状態時では、親機ＣＰＵ２８の制御により、待受時に消灯していた解錠ＬＥＤ３１が点滅し、解錠ボタン３０が操作可能であることを居住者に通知される。
【００２２】
そして、この状態で解錠ボタン３０が操作されると解錠要求信号が、親機ＣＰＵ２８、親機ＩＦ２９を介して制御機４に送信される。この解錠要求信号を受信した制御機４は、制御機ＣＰＵ３７の制御で集合玄関機１を介してドア制御盤６に解錠信号を送信する。同時に、通話中の居室親機２に対して解錠ＬＥＤ３１の点滅を点灯に変更する点灯信号を送信する。この点灯信号を受けた居室親機２は、親機ＣＰＵ２８の制御により解錠ＬＥＤ３１を点灯状態にし、解錠要求信号を受信したことを知らせる。
更に、親機ＣＰＵ２８は、この点灯信号を終話許可信号と認識し、タイマ２３をスタートさせて、所定時間カウントした後に集合玄関機１との間で形成した通話路および映像路を遮断して待ち受け状態に戻す。
【００２３】
尚、制御機４は、居室親機２に点灯信号を送信した後、一定時間（数秒）が経過したら引き続き消灯信号を送信し、点灯状態にある解錠ＬＥＤ３１を消灯させる。
一方、制御機４から解錠信号を受けたドア制御盤６は、オートドア５の電気錠を解錠し、その後所定時間経過したら施錠操作する。
【００２４】
このように、解錠ボタンが操作されたら、そのボタン操作後の一定のタイミングで終話動作するので、解錠操作を行った場合は別途終話操作しなくても通話路が遮断され、室内の会話が集合玄関機から流れ続けるのを防止できる。また、解錠ボタン操作後一定時間は通話回路を保持するので、解錠操作により来訪者との通話が遮断されることがない。
そして、解錠ＬＥＤの制御信号を利用して終話制御するので、新たな信号を発生させる必要がない。また、オートドア設備の解錠要求信号を基に返信される点灯信号を受けて解錠ＬＥＤは報知動作するので、居住者は解錠要求信号の送信を認識でき安心できる。
【００２５】
尚、上記実施形態は、解錠ＬＥＤ３１を点灯状態に変更するための点灯信号をトリガとして使用してタイマ２３をスタートさせたが、その後送信される消灯信号をトリガとしてタイマ２３をスタートさせても良く、消灯信号は点灯信号を送信した数秒後に通常送信されるので動作上の差は小さく、上記と同様の効果を得ることができる。
また、ドア制御盤６からは解錠信号を送出した際に、制御機４に対してその確認信号（解錠完了信号）が通常出力されている。そのため、この解錠完了信号をトリガとして使用することもできる。この解錠完了信号を使用すれば、来訪者がオートドアを通過できる状態になって終話動作することになる。そのため、ドアが開かない場合等引き続き通話を継続できるので来訪者に対して利便性が良い。
【００２６】
〈第２の実施形態〉
次に、図５、図６を基に第２の実施形態を説明する。図５は居室親機２の回路ブロック図、図６は制御機４の回路ブロック図を示している。図５において、４０は伝送されてきた映像信号を復調処理等行う映像処理部、４１は来訪者映像を出画するためのモニタ、４２は録画メモリ、４３はタッチパネルから成る操作手段、４４は通話ボタン、４５はマイク４６及びスピーカ４７が接続された通話回路、４８は各回路を制御する親機ＣＰＵ、４９は制御機４と通信するための居室親機インターフェース（親機ＩＦ）、５０はオートドアを解錠操作する解錠ボタン、５１は解錠状況を確認する解錠報知手段としての解錠ＬＥＤである
【００２７】
また、図６において、５４は通話路および映像路を形成する通話/映像路形成部、５５は居室親機２、管理室親機３と通信するための第１インターフェース（第１ＩＦ）、５６は集合玄関機１と通信するための第２インターフェース（第２ＩＦ）、５７は制御機４を制御する制御機ＣＰＵ、５８は終話タイミングをカウントするためのタイマである。
【００２８】
このように構成された集合住宅インターホンシステムの動作を以下説明する。但し、集合玄関機１による呼出操作、及び居室親機による居住者の応答操作は上記実施形態と同様なため省略し、解錠ボタン５０の操作に伴う動作を説明する。
通話状態で解錠ボタン５０が操作されると解錠要求信号が親機ＣＰＵ４８、親機ＩＦ４９を介して制御機４に送信される。この解錠要求信号を受信した制御機４は、制御機ＣＰＵ５７の制御により集合玄関機１を介してドア制御盤６に解錠信号を送信する。同時に、居室親機２に対して解錠ＬＥＤ５１を点灯に変更する点灯信号を生成して送信する。この点灯信号を受けた居室親機２は、親機ＣＰＵ４８の制御により解錠ＬＥＤ５１を点灯状態にし、解錠要求信号を受信したことを知らせる。
【００２９】
また、制御機ＣＰＵ５７は居室親機２に点灯信号を送信した後、一定時間（数秒）が経過したら点灯状態にある解錠ＬＥＤ５１を消灯させる消灯信号を送信し、この信号を受けた居室親機２の親機ＣＰＵ４８は、解錠ＬＥＤ５１を消灯させる。
一方、制御機ＣＰＵ５７は、点灯信号の生成に合わせてタイマ５８をスタートさせ、所定時間カウントしら居室親機２に対して終話信号を生成して送信し、この終話信号を受けた親機ＣＰＵ４８は、集合玄関機１との間で形成した通話路および映像路を遮断して待ち受け状態に戻す。
また、制御機４からの解錠信号を受けて、ドア制御盤６はオートドア５の電気錠を解錠し、その後所定時間が経過したら施錠操作する。
【００３０】
このように、解錠ボタンが操作されたら、そのボタン操作後の一定のタイミングで終話動作するので、解錠操作を行った場合は別途終話操作しなくても通話路が遮断され、室内の会話が集合玄関機から流れ続けるのを防止できる。また、居室親機の数に関係なくタイマは１つで済む。
更に、解錠ボタン操作後一定時間は通話回路を保持するので、解錠操作により来訪者との通話が遮断されることがない。また、解錠ＬＥＤの発光により解錠要求信号が送信されたことを認識でき、その後終話動作する。よって、居住者は解錠要求信号が送信されたことを認識でき、安心できる。
【００３１】
尚、上記実施形態は、解錠ＬＥＤ５１を点灯状態に変更するための点灯信号をトリガとしてタイマ５８をスタートさせたが、その後送信される消灯信号をトリガとしてタイマ５８をスタートさせても良く、消灯信号は点灯信号を送信した数秒後に送信されるので、大きな差は生じず、上記と同様の効果を得ることができる。
また、ドア制御盤６からは電気錠を解錠操作した際に、制御機４に対してその確認信号（解錠完了信号）が出力されている。そのため、この解錠完了信号をトリガとして使用しても良い。この解錠完了信号を使用すれば、来訪者がオートドアを通過できる状態になって終話動作することになる。そのため、ドアが開かない場合等引き続き通話を継続できるので来訪者に対して利便性が良い。
【００３２】
〈第３の実施形態〉
次に、図７、図８を基に第３の実施形態を説明する。図７は居室親機の回路ブロック図、図８は制御機の回路ブロック図を示している。図７において、６１は伝送されてきた映像信号を復調処理等行う映像処理部、６２は来訪者映像を出画するためのモニタ、６３は録画メモリ、６４はタッチパネルから成る操作手段、６５は通話ボタン、６６はマイク６７及びスピーカ６８が接続された通話回路、６９は各回路を制御する居室親機ＣＰＵ、７０は制御機４と通信するための居室親機インターフェース（親機ＩＦ）、７１はオートドアを解錠操作する解錠ボタン、７２は解錠状況を確認する解錠報知手段としての解錠ＬＥＤである
【００３３】
また図８において、７５は通話路および映像路を形成する通話/映像路形成部、７６は居室親機２、管理室親機３と通信するための第１インターフェース（第１ＩＦ）、７７は集合玄関機１と通信するための第２ＩＦインターフェース（第２ＩＦ）、７８は制御機４を制御する制御機ＣＰＵである。
【００３４】
このように構成された集合住宅インターホンシステムの動作を以下説明する。但し、集合玄関機１による呼出操作、及び居室親機による居住者の応答操作は上記第１の実施形態と同様なため省略し、解錠ボタン７１の操作に伴う動作を説明する。
通話状態で解錠ボタン７１が操作されると解錠要求信号が親機ＣＰＵ６９、親機ＩＦ７０を介して制御機４に送信される。この解錠要求信号を受信した制御機４は、制御機ＣＰＵ７８の制御により集合玄関機１を介してドア制御盤６に解錠信号を送信し、同時に居室親機２に対して解錠ＬＥＤ７２を点灯に変更する点灯信号を生成して送信する。この点灯信号を受けた居室親機２は、親機ＣＰＵ６９の制御により解錠ＬＥＤ７２を点灯状態にし、解錠要求信号を受信したことを知らせる。
【００３５】
また、制御機ＣＰＵ７８は居室親機２に点灯信号を送信した後、一定時間（数秒）が経過したら点灯状態にある解錠ＬＥＤ７２を消灯させる消灯信号を送信し、この信号を受けた居室親機２の親機ＣＰＵ６９は、解錠ＬＥＤ７２が消灯する。
【００３６】
一方、制御機４から解錠信号を受けたドア制御盤６は、オートドア５の電気錠を解錠し、その後閉扉して所定時間経過したら施錠制御する。この施錠動作は、オートドア５が解錠されてから通常３０秒〜１分等充分な時間が当てられている。そして、ドア制御盤６は、施錠が成されたら施錠を知らせる施錠完了信号を制御機４に送信する。
制御機ＣＰＵ７８は、この施錠完了信号を受けて、居室親機２に対して終話許可信号を出力し、居室親機２の親機ＣＰＵ６９は、この信号を受けて集合玄関機１との間に形成されている通話路及び映像路を遮断する。
【００３７】
このように、オートドアの施錠を受けて終話動作するので、居住者が終話操作し忘れても、室内の音声が流れ続けるようなことがない。また、解錠ボタン操作したら直ぐに終話することがないので来訪者との通話が遮断されるような事態が生じない。更に、終話操作の為のタイマが必要ない。
【００３８】
尚、上記各実施形態において、居室親機２に設けられた解錠ボタン３０，５０，７１は、オートドア５の電気錠を解錠するが、この解錠操作はドアに設けられる機械式の錠を電気制御する構成だけでなく、人感センサを使用して人が近づいたら左右方向にスライドして開閉動作する扉、或いは前後に回動して開閉する扉の場合は、開扉動作するための人感センサをオン操作する制御も解錠操作に含むものである。この場合、上記第３実施形態における施錠完了信号は閉扉後に人感センサオフを通知する信号となる。
また、上記実施形態は何れもオートドア設備７が集合玄関機１に接続されているが、直接制御機４に接続した構成であって良く、同様の制御を実施できる。
【図面の簡単な説明】
【００３９】
【図１】本発明に係る集合住宅インターホンシステムの一例を示す構成図である。
【図２】集合玄関機の回路ブロック図である。
【図３】居室親機の回路ブロック図である。
【図４】制御機の回路ブロック図である。
【図５】居室親機の他の例を示す回路ブロック図である。
【図６】制御機の他の例を示す回路ブロック図である。
【図７】居室親機の他の例を示す回路ブロック図である。
【図８】制御機の他の例を示す回路ブロック図である。
【符号の説明】
【００４０】
１・・集合玄関機、２・・居室親機、４・・制御機、５・・オートドア、６・・ドア制御盤（オートドア制御部）、７・・オートドア設備、２３・・タイマ、２８・・親機ＣＰＵ（親機制御部、終話制御手段）、３０・・解錠ボタン、３１・・解錠ＬＥＤ（解錠解錠報知手段）、３７・・制御機ＣＰＵ（終話許可手段、発光制御手段）、４８・・親機ＣＰＵ（親機制御部、終話制御手段）、５０・・解錠ボタン、５１・・解錠ＬＥＤ（解錠報知手段）、５７・・制御機ＣＰＵ（終話許可手段、発光制御手段）、５８・・タイマ、６９・・親機ＣＰＵ（親機制御手段）、７１・・解錠ボタン、７２・・解錠ＬＥＤ（解錠報知手段）、７８・・制御機ＣＰＵ。
【図１】
2008187648.tif 000003
【図２】
2008187648.tif 000004
【図３】
2008187648.tif 000005
【図４】
2008187648.tif 000006
【図５】
2008187648.tif 000007
【図６】
2008187648.tif 000008
【図７】
2008187648.tif 000009
【図８】
2008187648.tif 000010